(57)【要約】      （修正有）【課題】アンテナを備えた電子時計においてアンテナの受信性能の低下を抑制する。【解決手段】電子時計１０は、アンテナ体１１０と、アンテナ体１１０を覆う誘電体の第１部材と、アンテナ体１１０を第１部材に向けて付勢してアンテナ体を第１部材に接触させる付勢部１１５aと付勢部１１５aの付勢方向と交差する方向においてアンテナ体１１０を位置決めする位置決め部と第１部材のアンテナ体１１０と接触する面の裏面と当接するカバーガラス３３を有する。【選択図】図３
2018087766.tif 000002
【特許請求の範囲】
【請求項１】
アンテナ体と、
前記アンテナ体を覆う誘電体の部材と、
前記アンテナ体を前記部材に向けて付勢して前記アンテナ体を前記部材に接触させる付勢部と、を含むことを特徴とする電子時計。
【請求項２】
前記部材は、ダイヤルリングであることを特徴とする請求項１に記載の電子時計。
【請求項３】
前記付勢部の付勢方向と交差する方向において前記アンテナ体を位置決めする位置決め部をさらに含むことを特徴とする請求項１または２に記載の電子時計。
【請求項４】
前記部材の前記アンテナ体と接触する面の裏面と当接するカバーガラスを含むことを特徴とする請求項１から３のいずれか１項に記載の電子時計。
【請求項５】
誘電体のベゼルをさらに含み、
前記部材は、前記ベゼルと一体に形成されていることを特徴とする請求項１から４のいずれか１項に記載の電子時計。
【発明の詳細な説明】
【技術分野】
【０００１】
本発明は、アンテナを備えた電子時計に関する。
【背景技術】
【０００２】
特許文献１には、ＧＰＳ（Global Positioning System）衛星等の位置情報衛星からの電波をリング状のアンテナで受信して時刻表示を行う電子時計が記載されている。この電子時計では、リング状のアンテナが、文字板の周囲に配置されるように地板に固定されている。リング状のアンテナは、非導電性材料であるプラスチックで形成されたダイヤルリングで覆われている。ダイヤルリングは、文字板とベゼルとに当接して位置決めされている。そして、リング状のアンテナとダイヤルリングの間には、空間が設けられている。
【先行技術文献】
【特許文献】
【０００３】
【特許文献１】特開２０１３−１８１９１８号公報
【発明の概要】
【発明が解決しようとする課題】
【０００４】
特許文献１に記載の電子時計では、ダイヤルリングとアンテナとの距離は、ダイヤルリングと当接してダイヤルリングを位置決めする部材（文字板とベゼル）の製造上のばらつきと、アンテナが固定される地板の製造上のばらつきとによって変動してしまう。このため、ダイヤルリングがプラスチックやセラミック等の誘電体で形成される場合、ダイヤルリングとアンテナとの距離の変動に応じて、アンテナの共振周波数が変動し、アンテナの受信感度が低下してしまう。
【０００５】
本発明は上述した事情に鑑みてなされたものであり、アンテナを備えた電子時計において、アンテナの受信性能の低下を抑制することを解決課題とする。
【課題を解決するための手段】
【０００６】
本発明に係る電子時計の一態様は、アンテナ体と、前記アンテナ体を覆う誘電体の部材と、前記アンテナ体を前記部材に向けて付勢して前記アンテナ体を前記部材に接触させる付勢部と、を含むことを特徴とする。
この態様によれば、付勢部が、誘電体である部材に向けてアンテナ体を付勢してアンテナ体を部材に接触させるので、アンテナ体と部材（誘電体）との距離の変動を抑制できる。よって、アンテナ体と部材との距離の変動に応じてアンテナの共振周波数が変動してアンテナ体の受信感度が低下することを抑制可能となる。
【０００７】
上述した電子時計の一態様において、前記部材は、ダイヤルリングであることが望ましい。この態様によれば、アンテナ体とダイヤルリングとの距離の変動を抑制でき、この変動に応じたアンテナ体の受信感度の低下を抑制できる。
【０００８】
上述した電子時計の一態様において、前記付勢部の付勢方向と交差する方向において前記アンテナ体を位置決めする位置決め部をさらに含むことが望ましい。この態様によれば、アンテナ体と部材との距離の変動を抑制しつつ、付勢部の付勢方向と交差する方向においてアンテナ体を位置決めできる。
【０００９】
上述した電子時計の一態様において、前記部材の前記アンテナ体と接触する面の裏面と当接するカバーガラスを含むことが望ましい。この態様によれば、アンテナ体を介して部材が付勢部から付勢力を受けてカバーガラス側へ移動することを抑制できる。
【００１０】
上述した電子時計の一態様において、誘電体のベゼルをさらに含み、前記部材は、前記ベゼルと一体に形成されていることが望ましい。この態様によれば、部材とベゼルとが別体で形成される場合に比べて、ベゼルに対する部材の位置ずれを抑制することができる。
【図面の簡単な説明】
【００１１】
【図１】第１実施形態に係る電子時計１０を含むＧＰＳの全体図である。
【図２】電子時計１０を示す平面図である。
【図３】電子時計１０の断面図である。
【図４】位置調整部１１５を示す図である。
【図５】電子時計１０の一部の断面図である。
【図６】電子時計１０の回路構成を示すブロック図である。
【図７】第２実施形態に係る電子時計１０Ａを示した図である。
【図８】第３実施形態に係る電子時計１０Ｂを示した図である。
【図９】付勢部１１５ａの変形例を示した図である。
【図１０】図９の付勢部１１５ａが設けられた電子時計１０の一部の断面図である。
【図１１】図１０のＡ−Ａ線断面図である。
【発明を実施するための形態】
【００１２】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１３】
＜第１実施形態＞
図１は、本発明の第１実施形態に係るアンテナ内蔵式電子時計（以下、単に「電子時計」と称する）１０を含むＧＰＳの全体図である。
電子時計１０は、ＧＰＳ衛星８から無線送信された電波を受信して内部時計（後述するＲＴＣ１５２）の計時時刻を修正する腕時計である。電子時計１０は、腕と接触する側の面（以下「裏面」と称する）の反対側の面（以下「表面」と称する）に時刻等を表示する。ＧＰＳ衛星８は、地球の上空において、所定の軌道上を周回する航法衛星である。ＧＰＳ衛星８は、航法メッセージが重畳された１．５７５４２ＧＨｚの電波（Ｌ１波）を地上に送信している。以降の説明では、航法メッセージが重畳された１．５７５４２ＧＨｚの電波を「衛星信号」と称する。衛星信号は、右旋偏波の円偏波である。
【００１４】
現在、約３１個のＧＰＳ衛星８（図１においては、４個のみを図示）が存在している。衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。各ｃｈｉｐは「＋１」または「−１」のいずれかである。このため、Ｃ／Ａコードは、ランダムパターンのように見える。
【００１５】
ＧＰＳ衛星８は原子時計を搭載している。衛星信号（航法メッセージ）には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号（航法メッセージ）には、その時刻誤差を補正するための時刻補正パラメーターも含まれている。電子時計１０は、１つのＧＰＳ衛星８から送信された衛星信号を受信し、その衛星信号に含まれるＧＰＳ時刻情報と時刻補正パラメーターとを使用して得られた正確な時刻（時刻情報）に、内部時計の計時時刻を合わせる。
【００１６】
衛星信号には、ＧＰＳ衛星８の軌道上の位置を示す軌道情報も含まれている。電子時計１０は、ＧＰＳ時刻情報と軌道情報とを使用して測位計算を行うことができる。
測位計算は、電子時計１０の内部時計の計時時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その衛星信号に含まれるＧＰＳ時刻情報と軌道情報を使用して測位計算を行い、現在地の位置情報を求める。
【００１７】
図２は、電子時計１０を示す平面図である。図３は、電子時計１０の断面図である。
電子時計１０は、筒状の外装ケース３１と、ベゼル３２と、光透過性を有するカバーガラス３３と、裏蓋３４とを含む。外装ケース３１の２つの開口のうち、表面側の開口は、ベゼル３２を介してカバーガラス３３で塞がれており、裏面側の開口は、裏蓋３４で塞がれている。外装ケース３１と裏蓋３４は、ステンレス、チタン、アルミまたは真鍮などの金属で作られている。ベゼル３２は、誘電体であるセラミックで作られている。
【００１８】
ベゼル３２の内周側には、誘電体であるプラスチックで形成されたリング状のダイヤルリング４０が配置されている。図２に示したように、ダイヤルリング４０には、協定世界時（以下「ＵＴＣ」と称する）との時差を表す時差表示部４５が、数字と、数字以外の記号と、で表記されている。
【００１９】
ここで、ＵＴＣと、時差と、標準時と、タイムゾーン（Time zone）について説明する。
タイムゾーンとは、共通の標準時を使用する地域のことである。現在、４０種類のタイムゾーンが存在している。各タイムゾーンは、標準時とＵＴＣとの時差で区別される。例えば、日本は、ＵＴＣより９時間進んだ標準時を使用する「＋９時間のタイムゾーン」に属している。
数字の時差表示部４５は、整数の時差を表している。一方、記号の時差表示部４５は、整数以外の時差を表している。時差の基準である世界協定時が「ＵＴＣ」記号の時差表示部４５で表されている。整数以外の時差が「・」記号の時差表示部４５で表されている。なお、世界協定時および整数以外の時差は、他の記号を用いて表されてもよい。
【００２０】
ベゼル３２には、都市情報３５が表記されている。都市情報３５は、時差表示部４５の時差に対応した標準時を使用しているタイムゾーンにおける代表都市名を表す。本実施形態では、都市名を三文字のアルファベットで略したスリーレターコードを使用して、都市情報３５が表記されている。例えば、「ＴＹＯ」のコードは東京を表す。そして、「ＴＹＯ」のコードに対応してダイヤルリング４０に併記されている時差表示部４５の数字「９」に基づいて、使用者は、東京はＵＴＣ＋９時間の標準時を使用していることを容易に判断できる。
【００２１】
ダイヤルリング４０の内周側には、円盤状で光透過性を有する文字板１１が配置されている。文字板１１は、ポリカーボネートなどのプラスチックにて形成されている。文字板１１には、指針２１、２２および２３が備えられている。指針２１、２２および２３の各々は、指針軸２５を回転軸として回転する。 指針軸２５は、文字板１１の表示面１１ａ側からみた平面視（以下、単に「平面視」と称する）において、外装ケース３１の中心を通り、表裏方向に延在する中心軸に沿って設けられている。
文字板１１と指針２３によって時刻の時の値が表示され、文字板１１と指針２２によって時刻の分の値が表示される。指針２３は時針とも称され、指針２２は分針とも称される。文字板１１と指針２２と指針２３とによって、時刻表示部が構成される。また、文字板１１では、クロノグラフ（ストップウオッチ機能）における秒の桁の計測値が、指針２１にて表示される。
【００２２】
文字板１１には、２時方向に円形の第１表示部７０と指針７１とが、１０時方向に円形の第２表示部８０と指針８１とが、６時方向に円形の第３表示部９０と指針９１とが、４時方向に矩形のカレンダー表示部１５が設けられている。
【００２３】
第１表示部７０は、クロノグラフにおいて、指針７１によって６０分までの計測値を表示する。第２表示部８０は、指針８１によって時刻の秒の値を表示する。指針８１は秒針とも称される。
第３表示部９０の７時方向から９時方向までの範囲の外周には、円周に沿って、９時方向の基端が太く、７時方向の先端が細い記号９２が表記されている。記号９２は二次電池１３０のパワーインジケーターである。二次電池１３０の残量に応じて、指針９１が記号９２の基端、先端および中間のいずれかを指し示す。二次電池１３０としては、例えば、充電可能なリチウムイオン電池が用いられる。
第３表示部９０の９時方向から１０時方向までの範囲の外周には、飛行機の形状の記号９３が表記されている。記号９３は、機内モードを表す。航空機の離着陸時は、航空法によって衛星信号の受信が禁止されている。使用者はボタン６１を操作し、指針９１で記号９３（機内モード）を選択することで、電子時計１０が衛星信号を受信することを停止できる。
【００２４】
外装ケース３１の側面には、文字板１１において、８時方向の位置にボタン６１、１０時方向の位置にボタン６２、２時方向の位置にボタン６３、４時方向の位置にボタン６４、および、３時方向の位置にリュウズ５０が設けられている。ボタン６１、６２、６３および６４とリュウズ５０との各々が操作されると、操作に応じた操作信号が出力される。外装ケース３１の内側には、指針２２および２３等を駆動する駆動機構１４０も備えられている。
【００２５】
駆動機構１４０は、地板１２５に取り付けられている。地板１２５は、外装ケース３１の内側で、文字板１１よりも裏蓋３４側に配置されている。地板１２５の外周には、地板受けリング１２６が配置され、地板１２５は地板受けリング１２６を介して外装ケース３１に固定されている。地板１２５と文字板１１との間には、光発電を行うソーラー発電装置であるソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。二次電池１３０には、ソーラーパネル１３５の発電した電力が充電される。文字板１１、ソーラーパネル１３５および地板１２５には、指針軸２５が貫通する穴と、カレンダー表示部１５の開口部とが形成されている。
【００２６】
駆動機構１４０は、回路基板１２０の文字板１１側の面１２０ａと対向した状態で回路基板１２０によって裏蓋３４側から覆われている。駆動機構１４０は、指針２１を駆動するステップモーターと、指針２２および指針２３を駆動するステップモーターと、指針７１を駆動するステップモーターと、指針８１を駆動するステップモーターと、指針９１を駆動するステップモーターと、カレンダー表示部１５で日付を表示する日車を駆動するためのステップモーターとを備えている。
【００２７】
回路基板１２０は、文字板１１と裏蓋３４との間に配置されている。回路基板１２０の裏蓋３４側の面１２０ｂには、ＧＰＳ受信部（受信モジュール）１２２と制御部１５０とが搭載されている。また、回路基板１２０と裏蓋３４との間には、ＧＰＳ受信部１２２および制御部１５０を覆う回路押え１２３が設けられている。回路基板１２０と回路押え１２３との間には、耐磁板１６０が設けられている。
【００２８】
ダイヤルリング４０は、アンテナ体１１０を覆う誘電体の部材の一例である。ダイヤルリング４０は、カバーガラス３３に平行に設けられた平板部分４０ａと、平板部分４０ａの内周から文字板１１側に傾斜した傾斜部分４０ｂとを備える。平板部分４０ａの外周端は、ベゼル３２の内周面に接触し、傾斜部分４０ｂの内周端は、文字板１１に接触している。ダイヤルリング４０は、平面視ではリング形状となっている。また、ダイヤルリング４０は、文字板１１（表示面１１ａ）の面内方向と平行な方向からみた断面視（以下、単に「断面視」と称する）ではすり鉢形状となっている。
【００２９】
平板部分４０ａと傾斜部分４０ｂとベゼル３２の内周面と地板受けリング１２６等により、筒状の収納空間が形成されている。この収納空間には、筒状のアンテナ体（リングアンテナ）１１０と、位置調整部１１５とが設けられている。
【００３０】
アンテナ体１１０は、文字板１１の外周を囲う環状の誘電体で形成された基体１１０ａと、基体１１０ａに設置されたリング状のアンテナ電極１１０ｂと、を含む。誘電体は、酸化チタンなどの誘電材料を樹脂に混ぜて形成することができる。アンテナ電極１１０ｂは、基体１１０ａに金属のアンテナパターンをメッキや銀ペースト印刷を行うことにより形成することができる。
【００３１】
図４は、位置調整部１１５を示した図である。位置調整部１１５は、平面視においてリング状の形状を有し、地板受けリング１２６のアンテナ体１１０側の面に固定されている。位置調整部１１５には、アンテナ体１１０をダイヤルリング４０に向けて付勢してアンテナ体１１０をダイヤルリング４０に接触させる付勢部１１５ａが設けられている。位置調整部１１５は、例えば金属で形成され、付勢部１１５ａは、ダイヤルリング４０側に曲げられ、バネ部として機能する。このため、付勢部１１５ａと当接するアンテナ体１１０は、付勢部１１５ａの弾性力によってダイヤルリング４０側に押されてダイヤルリング４０と接触する。よって、アンテナ体１１０と誘電体であるダイヤルリング４０との距離を一定にでき、アンテナ電極１１０ｂとダイヤルリング４０との距離も一定になる。したがって、アンテナ体１１０の共振周波数の変動を抑制でき、アンテナ体１１０の受信感度の低下を抑制できる。
ここで、アンテナ電極１１０ｂは、例えば基体１１０ａの内側の面や外側の面などに配置してもよい。ただし、基体１１０ａのダイヤルリング４０と接触する側の面にアンテナ電極１１０ｂを配置すると、基体１１０ａの製造上のばらつきによるアンテナ電極１１０ｂとダイヤルリング４０との距離の変動も抑制することができるため、より好ましい。
付勢部１１５ａは、平面視において１２時の位置と３時の位置と６時の位置と９時の位置との４つの位置に設けられている。なお、付勢部１１５ａの数および設置位置は適宜変更可能である。
【００３２】
位置調整部１１５には、図４に示すように、貫通穴１１５ｂも設けられている。アンテナ体１１０の貫通穴１１５ｂと対向する箇所には、図５に示すように、凹部１１０ｃが設けられている。地板受けリング１２６には、貫通穴１１５ｂおよび凹部１１０ｃと対向する箇所に、突起部１２６ａが設けられている。突起部１２６ａは、位置決め部の一例である。突起部１２６ａは、貫通穴１１５ｂを通り凹部１１０ｃに嵌め込まれている。このため、突起部１２６ａは、付勢部１１５ａの付勢方向（裏面から表面に向かうＹ軸方向）と交差する方向（例えば、文字板１１の面内方向と水平でＹ軸に直交するＸ軸方向）においてアンテナ体１１０を位置決めする。なお、突起部１２６ａのカバーガラス３３へ向かう方向の長さは、アンテナ体１１０が付勢部１１５ａにより付勢されてアンテナ体１１０がダイヤルリング４０と接触している状況で、突起部１２６ａが凹部１１０ｃの底部１１０ｃ１と接触しないように設定されている。
【００３３】
また、基体１１０ａにはフック部１１０ｄが設けられており、地板受けリング１２６には、フック部１２６ｂを支持する支持部１２６ｃが設けられている。フック部１２６ｂは、フック部１１０ｄよりもカバーガラス３３側に位置するように支持部１２６ｃによって支持されている。フック部１１０ｄとフック部１２６ｂとは、アンテナ体１１０がダイヤルリング４０と接触している状況では係合しない位置関係で配置されている。フック部１１０ｄとフック部１２６ｂとが離間している距離（裏面から表面に向かうＹ軸方向の距離）は、電子時計１０の落下等により突起部１２６ａが凹部１１０ｃから抜けてしまうことを防止するために、突起部１２６ａが凹部１１０ｃに入り込んでいる距離（つまり、突起部１２６ａのアンテナ体１１０側の面からアンテナ体１１０の裏側の面までのＹ軸方向の距離）よりも短い。
フック部１１０ｄとフック部１２６ｂとは、製造時に、ダイヤルリング４０が無い状態、つまり外装ケース３１にムーブメントが固定されていない状態のときに、アンテナ体１１０が地板受けリング１２６から外れないように一時的に固定するために設けられている。
【００３４】
次に、電子時計１０の電気的構成について説明する。
図６は、電子時計１０の回路構成を示すブロック図である。図６に示すように、電子時計１０は、ＧＰＳ受信部１２２、制御表示部１５５、充電制御回路２９およびソーラーパネル１３５を含む。また、電子時計１０には、二次電池１３０が内蔵される。
ＧＰＳ受信部１２２は、衛星信号の受信、ＧＰＳ衛星８の捕捉、および位置情報の生成等の処理を行う。制御表示部１５５は、内部時刻情報の保持および内部時刻情報の修正等の処理を行う。ソーラーパネル１３５は、充電制御回路２９を通じて二次電池１３０を充電する。
【００３５】
電子時計１０は、レギュレータ１６２および１６３と電圧検出回路１６４も含む。
二次電池１３０は、レギュレータ１６２を介して制御表示部１５５に駆動電力を供給し、レギュレータ１６３を介してＧＰＳ受信部１２２に駆動電力を供給する。なお、レギュレータ１６３に代えて、例えば、後述するＲＦ部１７０に駆動電力を供給するレギュレータ１６３−１と、後述するベースバンド部１８０に駆動電力を供給するレギュレータ１６３−２（ともに図示せず）とが設けられてもよい。レギュレータ１６３−１は、ＲＦ部１７０の内部に設けられてもよい。電圧検出回路１６４は、二次電池１３０の電圧を検出する。
【００３６】
電子時計１０は、アンテナ体１１０およびＳＡＷ（Surface Acoustic Wave：表面弾性波）フィルタ１９０も含む。
アンテナ体１１０は、上述したように、複数のＧＰＳ衛星８から無線送信された衛星信号を受信する。なお、アンテナ体１１０は、衛星信号以外の不要な電波も受信してしまう。このため、ＳＡＷフィルタ１９０は、アンテナ体１１０が受信した信号から衛星信号を抽出する。すなわち、ＳＡＷフィルタ１９０は、１．５ＧＨｚ帯の信号を通過させるバンドパスフィルタとして機能する。なお、ＳＡＷフィルタ１９０は、ＧＰＳ受信部１２２に組み込まれてもよい。
【００３７】
ＧＰＳ受信部１２２は、ＲＦ（Radio Frequency：無線周波数）部１７０とベースバンド部１８０とを含む。ＧＰＳ受信部１２２は、ＳＡＷフィルタ１９０が抽出した１．５ＧＨｚ帯の衛星信号から航法メッセージに含まれる軌道情報およびＧＰＳ時刻情報等の衛星情報を取得する。
【００３８】
ＲＦ部１７０は、ＬＮＡ（Low Noise Amplifier）１７１、ミキサ１７２、ＶＣＯ（Voltage Controlled Oscillator）１７３、ＰＬＬ（Phase Locked Loop）回路１７４、ＩＦアンプ１７５、ＩＦ（Intermediate Frequency：中間周波数）フィルタ１７６およびＡＤＣ（Ａ／Ｄ変換器）１７７等を含む。
【００３９】
ＳＡＷフィルタ１９０が抽出した衛星信号は、ＬＮＡ１７１で増幅される。ＬＮＡ１７１で増幅された衛星信号は、ミキサ１７２でＶＣＯ１７３が出力するクロック信号とミキシングされて中間周波数帯の信号にダウンコンバートされる。
ＰＬＬ回路１７４は、ＶＣＯ１７３の出力クロック信号を分周したクロック信号と基準クロック信号とを位相比較して、ＶＣＯ１７３の出力クロック信号を基準クロック信号に同期させる。その結果、ＶＣＯ１７３は基準クロック信号の周波数精度の安定したクロック信号を出力することができる。なお、中間周波数として、例えば、数ＭＨｚを選択することができる。
【００４０】
ミキサ１７２でミキシングされた信号は、ＩＦアンプ１７５で増幅される。ここで、ミキサ１７２でのミキシングにより、中間周波数帯の信号とともに数ＧＨｚの高周波信号も生成される。そのため、ＩＦアンプ１７５は、中間周波数帯の信号とともに数ＧＨｚの高周波信号も増幅することになる。ＩＦフィルタ１７６は、中間周波数帯の信号を通過させるとともに、数ＧＨｚの高周波信号を除去する（正確には、所定のレベル以下に減衰させる）。ＩＦフィルタ１７６を通過した中間周波数帯の信号はＡＤＣ１７７でデジタル信号に変換される。
【００４１】
ベースバンド部１８０は、ＤＳＰ（Digital Signal Processor）１８１と、ＣＰＵ１８２と、ＲＡＭ（Random Access Memory）１８３とを含む。また、ベースバンド部１８０には、温度補償回路付き水晶発振回路（ＴＣＸＯ：Temperature Compensated Crystal Oscillator）１８５およびフラッシュメモリ１８６等が接続されている。
【００４２】
温度補償回路付き水晶発振回路（ＴＣＸＯ）１８５は、温度に関係なくほぼ一定の周波数の基準クロック信号を生成する。
フラッシュメモリ１８６には、例えば、測位情報（緯度および経度）に関連づけられた時差情報（ＵＴＣに対する時差情報）が記憶されている。また、フラッシュメモリ１８６には、ベースバンド部１８０の動作を規定するプログラムが記憶されている。
ＣＰＵ１８２は、フラッシュメモリ１８６に記憶されているプログラムを読み出して実行することにより、ベースバンド部１８０、さらに言えば、ＧＰＳ受信部１２２を制御する。なお、フラッシュメモリ１８６の代わりに、ＥＥＰＲＯＭ（Electrically Erasable Programmable Read-Only Memory）が用いられてもよい。
【００４３】
ベースバンド部１８０は、ＲＦ部１７０のＡＤＣ１７７が変換したデジタル信号（中間周波数帯の信号）からベースバンド信号を復調する。
【００４４】
ベースバンド部１８０は、後述する衛星サーチにおいて、各Ｃ／Ａコードと同一のパターンのローカルコードを発生し、ベースバンド信号に含まれる各Ｃ／Ａコードとローカルコードの相関をとる。そして、ベースバンド部１８０は、各ローカルコードに対する相関値がピークになるようにローカルコードの発生タイミングを調整し、相関値が閾値以上となる場合にはそのローカルコードのＧＰＳ衛星８に同期（すなわち、ＧＰＳ衛星８を捕捉）したものと判断する。ここで、ＧＰＳシステムでは、すべてのＧＰＳ衛星８が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星８を検索することができる。
【００４５】
また、ベースバンド部１８０は、捕捉したＧＰＳ衛星８の衛星情報を取得するために、当該ＧＰＳ衛星８のＣ／Ａコードと同一のパターンのローカルコードとベースバンド信号をミキシングする。ミキシングされた信号では、捕捉したＧＰＳ衛星８の衛星情報を含む航法メッセージが復調される。そして、ベースバンド部１８０は、航法メッセージの各サブフレームのＴＬＭワード（プリアンブルデータ）を検出し、各サブフレームに含まれる軌道情報およびＧＰＳ時刻情報等の衛星情報を取得する。そして、ベースバンド部１８０は、その衛星情報をＲＡＭ１８３に記憶する。ＧＰＳ時刻情報は、週番号データ（ＷＮ）およびＺカウントデータであるが、以前に週番号データが取得されている場合にはＺカウントデータのみが取得されてもよい。
週番号データは、現在のＧＰＳ時刻情報が含まれる週を表す情報である。ＧＰＳ時刻情報の起点は、ＵＴＣにおける１９８０年１月６日００：００：００であり、この日に始まる週は週番号０となっている。週番号データは、１週間単位で更新される。
Ｚカウントデータは、毎週日曜日の０時からの経過時間を秒で示し、翌週の日曜日の０時に０に戻るようになっている。つまり、Ｚカウントデータは、週の初めから一週間毎に示される秒単位の情報である。
以下では、ＧＰＳ時刻情報としてＺカウントデータが用いられる例を説明する。
【００４６】
また、ベースバンド部１８０は、時刻情報取得モードと位置情報取得モードとを有する。
時刻情報取得モードの場合、ベースバンド部１８０は、ＧＰＳ時刻情報（Ｚカウントデータ）に基づいて測時計算を行う。
位置情報取得モードの場合、ベースバンド部１８０は、ＧＰＳ時刻情報および軌道情報に基づいて測位計算を行い、位置情報（受信時に電子時計１０が位置する場所の緯度および経度）を取得する。続いて、ベースバンド部１８０は、フラッシュメモリ１８６を参照し、位置情報により特定される電子時計１０の座標値（例えば、緯度および経度）に関連づけられた時差情報を取得する。
【００４７】
ベースバンド部１８０の動作は、温度補償回路付き水晶発振回路（ＴＣＸＯ）１８５が出力する基準クロック信号に同期する。
【００４８】
制御表示部１５５は、制御部１５０と駆動回路１５４と水晶振動子１５３とを含む。
制御部１５０は、記憶部１５１およびＲＴＣ１５２を備え、各種制御を行う。制御部１５０は、例えばＣＰＵで構成することが可能である。制御部１５０は、制御信号をＧＰＳ受信部１２２に送り、ＧＰＳ受信部１２２の受信動作を制御する。また、制御部１５０は、電圧検出回路１６４の検出結果に基づいて、レギュレータ１６２およびレギュレータ１６３の動作を制御する。
また、制御部１５０は、駆動回路１５４を介して、指針２１、２２、２３、７１、８１および９１と、日車の駆動を制御する。なお、駆動回路１５４は、指針２１用の駆動回路と、指針２２および２３用の駆動回路と、指針７１用の駆動回路と、指針８１用の駆動回路と、指針９１用の駆動回路と、日車用の駆動回路とを含む。
【００４９】
記憶部１５１には、ベースバンド部１８０が生成した情報（Ｚカウントデータ、時差情報）が記憶される。制御部１５０は、ベースバンド部１８０が生成した情報に基づいて内部時刻情報を修正する。内部時刻情報は、電子時計１０で計時される内部時刻の情報である。内部時刻情報は、常時駆動されているＲＴＣ１５２でカウントされており、水晶振動子１５３によって生成される基準クロック信号によって更新される。したがって、ＧＰＳ受信部１２２への電力供給が停止されていても、内部時刻情報を更新して指針２２、２３および８１の運針を継続することができる。
【００５０】
制御部１５０は、時刻情報取得モードでは、ＧＰＳ受信部１２２を作動させ、ＧＰＳ時刻情報（Ｚカウントデータ）に基づいて内部時刻情報を修正して記憶部１５１に記憶する。より具体的には、内部時刻情報は、取得したＧＰＳ時刻情報にＵＴＣオフセットを加算することで求められる時刻に修正される。
【００５１】
また、制御部１５０は、位置情報取得モードでは、ＧＰＳ受信部１２２を作動させ、衛星信号を用いて測位計算を行う。そして、制御部１５０は、測位計算結果に応じた時差情報に基づいて、内部時刻情報を修正して記憶部１５１に記憶する。
【００５２】
本実施形態によれば、アンテナ体１１０と誘電体であるダイヤルリング４０との距離の変動が抑制されるので、アンテナ体１１０の受信感度が安定し、衛星信号に基づく測時および測位の精度の低下を抑制できる。
【００５３】
＜第２実施形態＞
図７は、本発明の第２実施形態の電子時計１０Ａを示した図である。図７において、図３に示したものと同一構成のものには同一符号を付してある。図７に示した電子時計１０Ａは、ダイヤルリング４０の平板部分４０ａがカバーガラス３３と当接している点で、図３に示した電子時計１０と異なる。
電子時計１０Ａでは、ダイヤルリング４０のアンテナ体１１０と接触する面の裏面がカバーガラス３３と当接しているため、ダイヤルリング４０が、アンテナ体１１０を介して付勢部１１５ａからカバーガラス３３側への付勢力を受けてカバーガラス３３側へ移動することを抑制できる。
【００５４】
＜第３実施形態＞
図８は、本発明の第３実施形態の電子時計１０Ｂを示した図である。図８において、図７に示したものと同一構成のものには同一符号を付してある。図８に示した電子時計１０Ｂは、ダイヤルリング４０とベゼル３２が、誘電体（例えば、セラミックまたはプラスチック）によって一体に形成されている点で、図７に示した電子時計１０Ａとは異なる。
電子時計１０Ｂでは、ダイヤルリング４０とベゼル３２が、誘電体で一体に形成されている。このため、ダイヤルリング４０とベゼル３２とが別体で形成される場合に比べて、ダイヤルリング４０の位置ずれ（例えば、ベゼル３２に対するダイヤルリング４０の位置ずれ）を抑制することができる。
【００５５】
＜変形例＞
本発明は、上述した各実施形態に限定されるものではなく、例えば、次に述べるような各種の変形が可能である。また、次に述べる変形の態様の中から任意に選択された一または複数の変形を適宜組み合わせることもできる。
【００５６】
＜変形例１＞
図９は、付勢部１１５ａの変形例を示した図である。図１０は、図９に示した付勢部１１５ａが設けられた電子時計１０の一部の断面図である。図１１は、図１０のＡ−Ａ線断面図である。
図３および図４に示した付勢部１１５ａは、平面視で位置調整部１１５の中心から外周に延びる方向に沿って延在していたが、図９に示す付勢部１１５ａは、位置調整部１１５の周方向に沿って延在している。また、本変形例では、位置調整部１１５と地板受けリング１２６とが、プラスチック、例えばＰＯＭ（ポリアセタール）等で一体に形成されている。
本変形例においても、付勢部１１５ａは、アンテナ体１１０と誘電体であるダイヤルリング４０との距離の変動を抑制するので、アンテナ体１１０の受信感度が安定し、衛星信号に基づく測時および測位の精度の低下を抑制できる。
【００５７】
＜変形例２＞
上記各実施形態では、基体１１０ａに凹部１１０ｃが設けられ地板受けリング１２６に突起部１２６ａが設けられたが、基体１１０ａに突起部１２６ａが設けられ地板受けリング１２６に凹部１１０ｃが設けられてもよい。
【００５８】
＜変形例３＞
第１実施形態と第２実施形態の少なくとも一方において、ダイヤルリング４０は、セラミックで形成されてもよい。
【００５９】
＜変形例４＞
地板１２５と地板受けリング１２６とが一体に形成されてもよい。また、地板１２５と地板受けリング１２６と位置調整部１１５とが弾性を有する材料（例えば、プラスチック）で一体に形成されてもよい。
【００６０】
＜変形例５＞
第１実施形態と第２実施形態の少なくとも一方において、ダイヤルリング４０とベゼル３２とが誘電体（例えば、セラミックまたはプラスチック）で一体に形成されてもよい。
【００６１】
＜変形例６＞
第１表示部７０と第２表示部８０と第３表示部９０とカレンダー表示部１５の全部または一部が省略されてもよい。
【００６２】
＜変形例７＞
位置情報衛星の例として、ＧＰＳ衛星について説明したが、位置情報衛星は、これに限られない。例えば、位置情報衛星としては、ガリレオ（ＥＵ）、ＧＬＯＮＡＳＳ（ロシア）などの他の全地球的公航法衛星システム（ＧＮＳＳ）で利用される衛星が適用できる。また、静止衛星型衛星航法補強システム（ＳＢＡＳ）などの静止衛星や、準天頂衛星（みちびき）等の特定の地域のみで検索できる地域的衛星測位システム（ＲＮＳＳ）などの衛星も適用できる。
【符号の説明】
【００６３】
１０…電子時計、１１０…アンテナ体、４０…ダイヤルリング、１１５…位置調整部、１１５ａ…付勢部、１２６…地板受けリング。
【図１】
2018087766.tif 000003
【図２】
2018087766.tif 000004
【図３】
2018087766.tif 000005
【図４】
2018087766.tif 000006
【図５】
2018087766.tif 000007
【図６】
2018087766.tif 000008
【図７】
2018087766.tif 000009
【図８】
2018087766.tif 000010
【図９】
2018087766.tif 000011
【図１０】
2018087766.tif 000012
【図１１】
2018087766.tif 000013